(57)【要約】      （修正有）【課題】シャワー用、旅行携帯用、台所用、RO飲水器用、水槽用の濾過器として使用することができる交差式導水濾過器の提供。【解決手段】交差式導水濾過器は、主に濾過器本体(1)内部に複数の嵌槽(13)を有し、各嵌槽(13)はそれぞれ隔板(14)と濾過棉(15)とからなる導水層(16)を有し、各隔板(14)はそれぞれ異なる設計の導流孔を有することにより、濾過器本体(1)内に注水した時、交差式導流作用を具備し、各導水層(16)間に設置される遠赤外線セラミックス粒層(5)、KDF銅亜鉛濾過層(50)、亜硫酸カルシウム(51)、椰殻活性炭層(52)に水流を平均的に通過させることができ、又、濾過器本体(1)の一端にネジみぞ(10)を有し、シャワーヘッド、注水コントロールヘッド、或いは出水端とネジ結合でき、濾過器本体(1)のもう一端はネジ山(11)を有し、出水導引管とネジ結合できる。【選択図】図５
0003113145.tif 000002
【実用新案登録請求の範囲】
【請求項１】
主に濾過器本体(1)内部に段々に口径が狭くなる複数の嵌槽(13)を有し、
各嵌槽(13)はそれぞれ隔板(14)と濾過棉(15)とからなる導水層(16)を有し、
各導水層(16)間に遠赤外線セラミックス粒層(5)、KDF銅亜鉛濾過層(50)、亜硫酸カルシウム(51)、椰殻活性炭層(52)を設置することができ、
各隔板(14)はそれぞれ異なる設計の導流孔(17)を有することにより、濾過器本体(1)内に注水した時、交差式導流作用を具備する構造であり、
上記構造によりシャワー用、旅行携帯用、台所用、RO飲水器用、水槽用の濾過器として使用することができることを特徴とする交差式導水濾過器。
【請求項２】
上記濾過器本体(1)一端にあるネジ山(11)内部の連結槽(18)にワッシャー(40)を具備する出水導引管(4)の端部を挿入し、固定環(42)とネジ山(11)をネジ結合させることにより、出水導引管(4)と濾過器本体(1)をしっかりと結合させることができることを特徴とする請求項１記載の交差式導水濾過器。
【請求項３】
上記濾過器本体(1)内部にある装着空間(12)内に設置される濾過材は中空糸膜、麦飯石、木魚石、アルカリ性セラミックス、抗菌アルカリ性セラミックスボール、遠赤外線セラミックス、活性炭、キャストライト、沸石（ゼオライト）、樹脂、抗菌銀活性炭、マンガン砂、石英砂、珪藻セラミックス粒、PP棉質濾過等の濾過材を使用することができることを特徴とする請求項１或いは２記載の交差式導水濾過器。
【考案の詳細な説明】
【技術分野】
【０００１】
本考案は一種の交差式導水濾過器の構造を提供するもので、シャワー用、旅行携帯用、台所用、RO飲水器用、水槽用の濾過器として使用することができる交差式導水濾過器に関するものである。
【背景技術】
【０００２】
現在市場において多種多様な濾過器が出回っているが、どの濾過器も単一機能を具備し、単一の使用目的に使用されるのみであり、１つの濾過器で多機能を具備するものはなく、例にとれば、RO飲水器の濾過器はRO飲水器のみに使用でき、水槽用濾過器として使用することは不可能であり、反対に水槽用濾過器をRO飲水器用濾過器として使用することもできない。
【０００３】
各使用目的に合わせて、各種濾過器が販売されており、消費者は日常生活を満足させる為に、それぞれの目的に合わせて、各種の濾過器を設置する必要があり、この状況は消費者にとって、便利であるとは言い難い。
【０００４】
更に、台所或いは浴室に濾過器を設置するには各種濾過器の設計及び構造を熟知する専門家に設置を依頼する必要があり、消費者が自分で設置することができない為、不便であり、又、社会的にDIYが広まっている中、濾過器の構造も改良される必要がある。
【考案の開示】
【考案が解決しようとする課題】
【０００５】
本考案の課題は、シャワー用、旅行携帯用、台所用、RO飲水器用、水槽用の濾過器として使用することができる交差式導水濾過器を提供することにある。
【課題を解決するための手段】
【０００６】
本考案は一種の交差式導水濾過器の構造を提供するもので、
主に濾過器本体(1)内部に複数の嵌槽(13)を有し、
各嵌槽(13)はそれぞれ隔板(14)と濾過棉(15)とからなる導水層(16)を有し、
各隔板(14)はそれぞれ異なる設計の導流孔(17)を有することにより、濾過器本体(1)内に注水した時、交差式導流作用を具備し、各導水層(16)間に設置される遠赤外線セラミックス粒層(5)、KDF銅亜鉛濾過層(50)、亜硫酸カルシウム(51)、椰殻活性炭層(52)に水流を平均的に通過させることができ、
又、濾過器本体(1)の一端にネジみぞ(10)を有することにより、シャワーヘッド、注水コントロールヘッド(3)、或いは出水端とネジ結合させることができ、
濾過器本体(1)のもう一端はネジ山(11)を有することにより、出水導引管(4)とネジ結合させることができ、
上記構造によりシャワー用、旅行携帯用、台所用、RO飲水器用、水槽用の濾過器として使用することができる。
【考案の効果】
【０００７】
本考案の濾過器本体(1)は、一端に出水導引管(4)を連結し、もう一端にシャワーヘッド、注水コントロールヘッド(3)、或いは出水端と連結させることができ、
水が濾過器本体(1)内部の各導水層(16)を通過する時、交差式導水効果を発揮し、
又、濾過器本体(1)内部の各種濾過材を使用することにより、シャワー用、旅行携帯用、台所用、RO飲水器用、水槽用の濾過器をDIYすることができ、創造性、選択性、適用性、多様性のある濾過器を提供することができる。
【考案を実施するための最良の形態】
【０００８】
本考案の構造の特徴及びその効果を以下に実施例とそれに合わせた図式及び詳細な説明を列挙し、本考案の長所を詳述する。
【０００９】
図１〜５が示す如く、本考案は一種の交差式導水濾過器の構造を提供するもので、
濾過器本体(1)は一端にネジみぞ(10)を有することにより、シャワーヘッド、注水コントロールヘッド(3)、或いは出水端とネジ結合させることができ、
濾過器本体(1)のもう一端はネジ山(11)を有することにより、出水導引管(4)とネジ結合させることができ、
主に濾過器本体(1)内部に段々に口径が狭くなる複数の嵌槽(13)を有し、
各嵌槽(13)はそれぞれ隔板(14)と濾過棉(15)とからなる導水層(16)を有し、
各導水層(16)間に遠赤外線セラミックス粒層(5)、KDF銅亜鉛濾過層(50)、亜硫酸カルシウム(51)、椰殻活性炭層(52)を設置することができ、
各隔板(14)はそれぞれ異なる設計の導流孔(17)を有することにより、濾過器本体(1)内に注水した時、交差式導流作用を具備する構造である。
【００１０】
本考案の組み合わせ実施構造は、図６が示す如く、濾過器本体(1)一端にあるネジ山(11)内部の連結槽(18)にワッシャー(40)を具備する出水導引管(4)の端部を挿入し、固定環(42)とネジ山(11)をネジ結合させることにより、出水導引管(4)と濾過器本体(1)をしっかりと結合させることができ、
又、濾過器本体(1)のもう一端にあるネジみぞ(10)に注水コントロールヘッド(3)のネジ型コネクター(30)をネジ結合させることにより、注水コントロールヘッド(3)と濾過器本体(1)をしっかりと結合させることができ、
又、注水コントロールヘッド(3)のもう一端は流し台(6)を貫通し、分岐管(7)の開閉出水頭(70)に連結されることにより、水道管からの水を分岐管(7)、開閉出水頭(70)、注水コントロールヘッド(3)、濾過器本体(1)、出水導引管(4)の経路で流出させることができ、家庭台所用濾過器として使用することができる。
【００１１】
又、本考案の組み合わせ実施構造は、図７が示す如く、濾過器本体(1)一端にあるネジ山(11)内部の連結槽(18)にワッシャー(40)を具備する出水導引管(4)の端部を挿入し、
固定環(42)とネジ山(11)をネジ結合させることにより、出水導引管(4)と濾過器本体(1)をしっかりと結合させることができ、
又、濾過器本体(1)のもう一端にあるネジみぞ(10)に注水コントロールヘッド(3)のネジ型コネクター(30)をネジ結合させることにより、注水コントロールヘッド(3)と濾過器本体(1)をしっかりと結合させることができ、
又、注水コントロールヘッド(3)のもう一端は水槽(2)の固定具(20)を通過し、分岐管(7)の開閉出水頭(70)に連結されることにより、水道管からの水を分岐管(7)、開閉出水頭(70)、注水コントロールヘッド(3)、濾過器本体(1)、出水導引管(4)の経路で流出させることができ、水槽用濾過器として使用することができる。
【００１２】
又、本考案の組み合わせ実施構造は、濾過器本体(1)一端にあるネジみぞ(10)と蛇口の出水端と結合させることができ、水道管からの水を濾過器本体(1)で水質処理することができ、更に、出水導管、シャワーヘッドを取り付けることにより、シャワー用濾過器として使用することができる。
【００１３】
又、本考案の組み合わせ実施構造は、濾過器本体(1)一端にあるネジ山(11)と蛇口の出水端と結合させることができ、
濾過器本体(1)のもう一端にあるネジみぞ(10)にシャワーヘッドのネジとネジ結合させることにより、濾過器本体(1)とシャワーヘッドを一体化させることができ、旅行時の携帯式シャワー用濾過器として使用することができる。
【００１４】
又、本考案の組み合わせ実施構造は、濾過器本体(1)一端にあるネジ山(11)内部の連結槽(18)にワッシャー(40)を具備する出水導引管(4)の端部を挿入し、固定環(42)とネジ山(11)をネジ結合させることにより、出水導引管(4)と濾過器本体(1)をしっかりと結合させることができ、上記構造中、
濾過器本体(1)内部にある装着空間(12)は中空糸膜、麦飯石、木魚石、アルカリ性セラミックス、抗菌アルカリ性セラミックスボール、遠赤外線セラミックス、活性炭、キャストライト、沸石（ゼオライト）、樹脂、抗菌銀活性炭、マンガン砂、石英砂、珪藻セラミックス粒、PP棉質濾過等の濾過材を使用することができ、
又、濾過器本体(1)のもう一端にあるネジみぞ(10)に注水コントロールヘッド(3)のネジ型コネクター(30)をネジ結合させることにより、注水コントロールヘッド(3)と濾過器本体(1)をしっかりと結合させることができ、
上記注水コントロールヘッド(3)の末端はRO飲水器と連結させることにより、RO飲水器用濾過器として使用することができる。
【００１５】
又、本考案の組み合わせ実施構造は、更に、濾過器本体(1)一端にあるネジ山(11)内部の連結槽(18)にワッシャー(40)を具備する出水導引管(4)の端部を挿入し、固定環(42)とネジ山(11)をネジ結合させることにより、出水導引管(4)と濾過器本体(1)をしっかりと結合させることができ、更に、蛇口に濾過器本体(1)を取り付けることにより、簡易型家庭台所用濾過器として使用することができる。
【００１６】
上記中空糸膜は一般的な中空糸膜であり、繊維技術を採用したその構造は中空状の毛細管で、外から内まで三層の構造で、中空糸膜の外壁層、中間層、内壁層は複数の超微細濾過孔があることにより、細菌（例：大腸桿菌、赤痢菌）が濾過除去させることができ、又、赤錆も除去することができる。
【００１７】
上記遠赤外線セラミックス粒層(5)は遠赤外線を放出する多種の鉱石から製成されることにより、分子と分子の快速震動により共鳴し、水の分子を小さく切る為、クラスタが小さくなり、又、遠赤外線の照射を受けて活性化させて体によいものとすることができる。
【００１８】
上記KDF銅亜鉛濾過層(50)は塩素除去能力が活性炭の６倍で、更に、鉛、鉄、カドミウム、アルミニウム、ヒ素等の水溶性重金属やその他の無機物質を除去することができ、又、逆流洗浄が可能な為、繰り返し使用することができ、菌類、藻類の発生抑制に効果があり、カルシウムイオン、マグネシウムイオン値を下げ、PH値を調整し、RO及びDIシステムの前処理濾過材の寿命を延長することができる。
【００１９】
上記亜硫酸カルシウム(51)は水道水消毒に使用される塩素や残留蓄積されるトリハロゲンメチルアルキルを除去することができ、発ガン性物質の発生を抑えることができる。
【００２０】
上記椰殻活性炭層(52)は脱臭能力に優れた椰殻活性炭を使用し、表面の無数の細孔により水道水中の臭味、塩素、有機化合物を完全に除去することができ、細菌の発生を抑えることができる。
【図面の簡単な説明】
【００２１】
【図１】本考案の濾過器本体(1)の立体図である。
【図２】本考案の濾過器本体(1)の断面図である。
【図３】本考案の隔板(14)の構造図である。
【図４】本考案の導水層(16)の断面図である。
【図５】本考案の交差式導水の断面実施例図である。
【図６】台所用濾過器の実施例図である。
【図７】本考案の水槽(2)用濾過器の実施例図である。
【符号の説明】
【００２２】
1      濾過器本体
10     ネジみぞ
11     ネジ山
12     装着空間
13     嵌槽
14     隔板
15     濾過棉
16     導水層
17     導流孔
18     連結槽
2      水槽
20     固定具
3      注水コントロールヘッド
30     ネジ型コネクター
4      出水導引管
40     ワッシャー
41     ストッパー
42     固定環
5      遠赤外線セラミックス粒層
50     KDF銅亜鉛濾過層
51     亜硫酸カルシウム
52     椰殻活性炭層
6      流し台
7      分岐管
70     開閉出水頭
【図１】
0003113145.tif 000003
【図２】
0003113145.tif 000004
【図３】
0003113145.tif 000005
【図４】
0003113145.tif 000006
【図５】
0003113145.tif 000007
【図６】
0003113145.tif 000008
【図７】
0003113145.tif 000009